(57)【要約】      （修正有）【課題】ランドセルの蓋板上に装着されるランドセルカバー内に各種の物品を収納できるようにしたランドセルカバーを提供する。【解決手段】ランドセルカバー２０には、取付け片３４と押えベルト３８が取付けられ、これらの取付け片３４と押えベルト３８とによって、ランドセル本体の蓋板の外側に取付けるようにする。またランドセル本体の蓋板から取外した場合には、縫目から成る分割部の近傍で二つ折りにし、吊下げベルト４１の両端のフック４３を取付け片３６によって取付けられた吊下げ環３７に引掛けるようにして用いる。【選択図】図４
0003187155.tif 000002
【実用新案登録請求の範囲】
【請求項１】
ランドセルの上部開口を閉じて背面側に覆い被さる蓋板上に装着されるランドセルカバーにおいて、
前記ランドセルカバーが面状部材の２重構造による袋状をなし、内部に物品を収納する収納部を有し、
しかも前記ランドセルの蓋板から取外すとともに、吊下げ手段によってランドセルとは独立した吊下げバックとして利用できるようにしたランドセルカバー。
【請求項２】
前記ランドセルカバーが前面布と後面布の２重構造による袋状である請求項１に記載のランドセルカバー。
【請求項３】
上部側にファスナによって開閉される開口を有するとともに、中間位置において前記前面布と前記後面布とが縫合わされて接合され、しかも該接合された部位のすぐ下側に開口が形成され、上側と下側とにそれぞれ収納部が形成される請求項２に記載のランドセルカバー。
【請求項４】
前記接合された位置のすぐ下側の開口を覆うようにフラップを備える請求項３に記載のランドセルカバー。
【請求項５】
上下方向の中間位置であって幅方向の両端にそれぞれ吊下げ環が取付けられ、該吊下げ環の近傍で２つ折りするとともに、前記吊下げ環に吊下げベルトのフックを引掛けて吊下げバッグとする請求項１〜請求項３の何れかに記載のランドセルカバー。
【請求項６】
前記吊下げベルトに長さ調整具が取付けられ、吊下げベルトの長さが調整される請求項５に記載のランドセルカバー。
【請求項７】
収納部に運動着を収納する請求項１〜６の何れかに記載のランドセルカバー。
【請求項８】
収納部に水泳着を収納する請求項１〜７の何れかに記載のランドセルカバー。
【考案の詳細な説明】
【技術分野】
【０００１】
本考案はランドセルカバーに係り、とくにランドセルの蓋板上に装着されるランドセルカバーに関する。
【背景技術】
【０００２】
小学校のとくに低学年の児童は、教科書や筆記具等をランドセルに入れて通学する。そしてランドセルの蓋の外表面側にはランドセルカバーが装着され、このランドセルカバーによってランドセルが目立つようにし、交通安全に寄与するようにしている。すなわちランドセルカバーそれ自体を、目立つ黄色等の色に着色するとともに、さらに適宜反射テープ等を取付けるようにし、これによって自動車の運転者から視認され易く、目立つようにしている。
【０００３】
一方で学童や生徒は、学校の授業が終わった後に、スイミング等の習い事をする場合が多い。この場合に、通常は、学校から一旦自宅に帰宅し、この後水泳具を持ってプールに行き、ここで水泳の訓練を行なうようにしている。ところが学校の授業が終った後にスイミングが開始される迄の時間が短い場合には、一旦自宅に帰って道具を持って来ることができない。このような場合には、児童生徒は、朝自宅を出る際に、スイミングの道具を一緒に持って学校に行くことになる。とくにランドセルにスイミングの道具が入り難いために、専用の袋を用意し、この袋の中に水泳着等の水泳用具を入れて通学することになる。従って、ランドセル以外に、水泳用具を入れた袋を持って通学しなければならず、煩雑になる。
【０００４】
なお実用新案登録３１６０９７０号公報には、ランドセルへの装着感や外見を損なうことなく、ファイル、用紙などのＡ４判の大きさの物品を簡単に収納することができるとともに、取出し易いようにしたランドセルカバーを提供するものであって、ランドセルのタレの幅よりそれぞれ広くした幅の外側シートと内側シートを重ね合せたカバー体からなり、外側シートでランドセルのタレの外側面の全体が被覆され、内側シートで、ランドセルのタレの内側面の略半分が被覆されるようにし、外側シートと内側シートの間を、Ａ４判の大きさの物品の収納部としたランドセルカバーが提案されている。
【０００５】
このような構成のランドセルカバーは、ファイル、用紙等の薄いものを収納部に収納することができるものの、水泳具等のような物は収納することができない。
【０００６】
また特開２００４−２１５６８号公報には、ランドセル内に収納することができない物等を、被せ蓋の外側に体裁よく収納して背負うことができるランドセルカバーを提供するものであって、カバー本体をランドセルの被せ蓋に着脱可能に取付けるようにし、このカバー本体の外面にはポケット部を取付けるようにしており、ポケット部はカバー本体の外面側両側端部位に、夫々紐通し部を複数個上下方向に並置して設けるようにし、このような紐通し部を挿通した紐によってポケット部を上から押えるようにしたランドセルカバーが提案されている。
【０００７】
このような構成によると、被せ蓋の外側の部分に、水泳具等の物品を収納することが可能になるものの、ランドセルカバーは、ランドセルから分離しては収納手段として用いることができない。すなわち、ランドセルが必要でなく、水泳具のみを持運ぶような場合に、ランドセルカバーを袋状の収納手段として用いることができない。
【先行技術文献】
【特許文献】
【０００８】
【特許文献１】実用新案登録第３１６０９７０号公報
【特許文献２】特開２００４−２１５６８号公報
【考案の概要】
【考案が解決しようとする課題】
【０００９】
本願考案の課題は、ランドセルの蓋板上に装着されるランドセルカバー内に各種の物品を収納できるようにしたランドセルカバーを提供することである。
【００１０】
本願考案の別の課題は、複数の収納部を有するランドセルカバーを提供することである。
【００１１】
本願考案のさらに別の課題は、水泳着等を収納できるようにしたランドセルカバーを提供することである。
【００１２】
本願考案のさらに別の課題は、ランドセルの蓋板から取外し、ランドセルカバーを単独でバッグとして利用できるようにしたランドセルカバーを提供することである。
【００１３】
本願考案のさらに別の課題は、ランドセルから取外すとともに、吊下げベルト等の吊下げ手段によってランドセルとは独立した吊下げバッグとして利用できるようにしたランドセルカバーを提供することである。
【００１４】
本願考案の上記の課題および別の課題は、以下に述べる本願考案の技術的思想およびその実施の形態によって明らかにされる。
【課題を解決するための手段】
【００１５】
本願の主要な考案は、ランドセルの上部開口を閉じて背面側に覆い被さる蓋板上に装着されるランドセルカバーにおいて、
前記ランドセルカバーが面状部材の２重構造による袋状をなし、内部に物品を収納する収納部を有し、
しかも前記ランドセルの蓋板から取外すとともに、吊下げ手段によってランドセルとは独立した吊下げバックとして利用できるようにしたランドセルカバーに関するものである。
【００１６】
ここで、前記ランドセルカバーが前面布と後面布の２重構造による袋状であってよい。また上部側にファスナーによって開閉される開口を有するとともに、中間位置において前記前面布と前記後面布とが縫合わされて接合され、しかも該接合された部位のすぐ下側に開口が形成され、上側と下側とにそれぞれ収納部が形成されてよい。また前記接合された位置のすぐ下側の開口を覆うようにフラップを備えてよい。また上下方向の中間位置であって幅方向の両端にそれぞれ吊下げ環が取付けられ、該吊下げ環の近傍で２つ折りするとともに、前記吊下げ環に吊下げベルトのフックを引掛けて吊下げバッグとしてよい。また前記吊下げベルトに長さ調整具が取付けられ、吊下げベルトの長さが調整されてよい。また収納部に運動着を収納してよい。また収納部に水泳着を収納してよい。
【考案の効果】
【００１７】
本願の主要な考案は、ランドセルの上部開口を閉じて背面側に覆い被さる蓋板上に装着されるランドセルカバーにおいて、前記ランドセルカバーが面状部材の２重構造による袋状をなし、内部に物品を収納する収納部を有し、しかも前記ランドセルの蓋板から取外すとともに、吊下げ手段によってランドセルとは独立した吊下げバックとして利用できるようにしたものである。
【００１８】
従ってこのようなランドセルカバーによると、ランドセルの蓋板上に装着した状態において、収納部に各種の物品を収納することができる。しかも必要に応じてランドセルから取外し、吊下げ手段を取付けてランドセルとは独立した吊下げバッグとして使用することが可能になる。すなわちランドセルとは別の補助バッグとして用いることが可能になる。
【図面の簡単な説明】
【００１９】
【図１】ランドセルカバーのランドセルの蓋板に対する装着の状態を示す外観斜視図である。
【図２】ランドセルカバーを装着したランドセルの蓋板の正面図である。
【図３】展開された状態のランドセルカバーの正面図（Ａ）、背面図（Ｂ）、および縦断面図（Ｃ）である。
【図４】吊下げベルトによってランドセルカバーを吊下げバッグとして利用している状態を示す外観斜視図である。
【考案を実施するための形態】
【００２０】
以下本願考案を図示の実施の形態によって説明する。図１は本実施の形態のランドセルカバー２０と、このランドセルカバー２０が取付けられるランドセルとの関係を示すものであって、とくにランドセルカバーの装着の位置を示すためのものである。
【００２１】
ランドセルカバー２０が装着されるランドセルは、上端側に上部開口１１が形成され、偏平な直方体状の箱体の形状を成している。そしてこのランドセル本体１０の背面側は背板１２によって構成されている。これに対してランドセル本体１０の上部開口１１から前面側にかけて蓋板１３が取付けられるようになっている。そして背板１２の外側には、左右一対の背負ベルト１４が取付けられるようにしている。背負ベルト１４の下側の部分は図示を省略した連結手段によって、ランドセル本体１０の底部に連結されるようになっている。また背板１２の上部側には、吊下げ金具１５が取付けられ、所定の位置に吊下げることを可能にしている。
【００２２】
ランドセルカバー２０はとくに図３に示すように、面状部材の２重構造の袋状をなしている。なおここで２重構造は２枚のシートから構成されてもよく、あるいは一枚のシートを折曲げて２重としてもよい。ここでは一枚のシートをそれらの側端で折畳んだ前面布２１と後面布２２の２重構造を成し、両者の間が空間になった袋物状になっている。そしてこのランドセルカバー２０の上部が上部開口２３に構成され、この上部開口２３を開閉するようにファスナー２４が上縁に沿って取付けられている。
【００２３】
ランドセルカバー２０は例えばナイロン布等の強度があってしかも軽量な布から構成されており、その高さ方向の中間位置が縫目によって分割部２７を形成しており、これによってランドセルカバー２０の内部には上側の収納部と下側の収納部とが互い不連続に形成されるようにしている。そしてこのランドセルカバー２０の縫目から成る分割部２７のすぐ下側の部分には、図３Ａおよび図３Ｃに示すように開口２８が形成され、この開口２８を覆うようにフラップ２９が取付けられている。開口２８はこのランドセルカバー２０の下側の収納部の入口になっている。そしてフラップ２９の内側およびランドセルカバー２０の前面布２１の部分には面ファスナー３０が取付けられ、これによってフラップ２９が開口２８を開閉できるようになっている。またこのランドセルカバー２０の前面布２１の外側であって下側の部分に反射テープ３１が取付けられている。反射テープ３１は、ランドセル本体１０の蓋板１３にランドセルカバー２０が取付けられた場合に、安全性を高めるようにするためのものであって、交通事故の発生を未然に防止するようにしている。
【００２４】
次にランドセルカバー２０の背面側の部分には、図３Ｂに示すように、その上部であって幅方向の両側の中心部分に取付け片３４が取付けられる。取付け片３４は、ランドセル本体１０の吊下げ金具１５にこのランドセルカバー２０の上端部を取付けるためのものであって、取付け片３４に面ファスナー３５が取付けられている。またランドセルカバー２０の上記縫目から成る分割部２７の少し上側の左右の位置にそれぞれ取付け片３６を介して吊下げ環３７が取付けられている。またこのランドセルカバー２０の後面布２２の下側の部分には押えベルト３８が取付けられ、この押えベルト３８によって、ランドセルカバー２０をランドセル本体１０の蓋板１３の部分に押えるようにしている。
【００２５】
上記のランドセルカバー２０を吊下げる吊下げベルト４１は図４に示すように、その途中の部分に長さ調節具４２を備え、これによって吊下げベルト４１の長さを任意に調整できるようにしている。またこの吊下げベルト４１の一端の折り返し部と上記長さ調節具４２から延出された吊下げベルト４１の端部とにそれぞれフック４３が取付けられ、フック４３を吊下げ環３７の挿通部４４を挿通することによって、吊下げベルト４１を二つ折れされたランドセルカバー２０に連結するようにしている。
【００２６】
以上のような構成に係るランドセルカバーにおいて、このランドセルカバー２０を通常の用法で用いる場合には、図１および図２に示すように、ランドセル本体１０の蓋板１３の外側に装着する。すなわち後面布２２の上端側に取付けられた取付け片３４をランドセル本体１０の背板１２の吊下げ金具１５を挿通させ、面ファスナー３５によって固定する。これによってランドセルカバー２０はランドセル本体１０の蓋板１３に固定されるようになる。そしてこのような状態において、蓋板１３の下端側の部分を、ランドセルカバー２０の後面布２２の下端側に設けられている押えベルト３８内を挿通させることによって、蓋板１３に沿ってこの蓋板１３を覆うようにしてランドセルカバー２０が取付けられる。
【００２７】
上述の如くランドセルカバー２０は縫目から成る分割部２７の上側と下側とがそれぞれ収納部になっており（図３Ｃ参照）、このために上下の収納部にそれぞれ各種の物品を収納できる。上側の収納部については、ファスナー２４を開いて上部開口２３から物品を上側の収納部に挿入することができ、あるいはまた収納された物品を取出すことができる。これに対して下側の収納部に物品を収納する場合には、フラップ２９の部分の面ファスナー３０を離脱させ、開口２８を通して下側の収納部に物品を収納する。また下側の収納部から物品を取出す場合には、面ファスナー３０を取外してフラップ２９を開き、開口２８から物品を取出せばよい。
【００２８】
従って、例えば水泳着４７等をランドセルカバー２０の下側の収納部に入れて通学することができる。なお水泳着４７以外の水泳用具についても、上側の収納部と下側の収納部とに適宜分けて収納することができる。従って通学の際に、水泳着を入れた別の袋を手で持つ必要がなくなる。
【００２９】
またこのようなランドセルカバー２０は、ランドセル本体１０から分離し、図４に示すように二つ折りにしてランドセルとは独立した吊下げバッグとして利用することができる。すなわち後面布２２側を外側とするように、縫目から成る分割部２７の近傍でこのランドセルカバー２０を二つ折りする。そして吊下げベルト４１の両端のフック４３を、取付け片３６によって後面布２２に取付けられている吊下げ環３７に引掛けることによって、このランドセルカバー２０を吊下げベルト４１と連結して、しかもランドセル本体１０からは独立のバッグとして利用することができる。吊下げベルト４１の実質的な長さは、長さ調節具４２の長さを調整することによって適宜調整できるようになる。
【００３０】
このようにランドセル本体１０から独立してランドセルカバー２０を吊下げバッグとして利用できるために、ランドセルを背負うことなくランドセルカバー２０を吊下げバッグとして、その中に水泳着を入れてプールに行くことができる。なおこのようにランドセルから独立したランドセルカバー２０によって構成される吊下げバッグは、各種の用途に自由に利用することでき、必ずしもプールに通うためのバッグに限定されるものではない。
【００３１】
以上本願考案を図示の実施の形態によって説明したが、本願考案は上記実施の形態によって限定されることなく、本願考案の技術的思想の範囲内において各種の変更が可能である。例えば上記実施の形態における上側の開口２３のファスナー２４や下側の開口２８の面ファスナー３０による開閉機構等については、他の手段に任意に置換えることができる。また吊下げベルト４１とランドセルカバー２０との連結構造についても、各種の形態を採用することが可能である。
【産業上の利用可能性】
【００３２】
本願考案は、ランドセルの蓋板の部分に装着されるランドセルカバーとして利用することができる。
【符号の説明】
【００３３】
１０  ランドセル本体
１１  上部開口
１２  背板
１３  蓋板
１４  背負ベルト
１５  吊下げ金具
２０  ランドセルカバー
２１  前面布
２２  後面布
２３  上部開口
２４  ファスナー
２７  分割部（縫目）
２８  開口
２９  フラップ
３０  面ファスナー
３１  反射テープ
３４  取付け片
３５  面ファスナー
３６  取付け片
３７  吊下げ環
３８  押えベルト
４１  吊下げベルト
４２  長さ調節具
４３  フック
４４  挿通部
４７  水泳着
【図１】
0003187155.tif 000003
【図２】
0003187155.tif 000004
【図３】
0003187155.tif 000005
【図４】
0003187155.tif 000006
【手続補正書】
【提出日】平成25年9月10日(2013.9.10)
【手続補正１】
【補正対象書類名】実用新案登録請求の範囲
【補正対象項目名】全文
【補正方法】変更
【補正の内容】
【実用新案登録請求の範囲】
【請求項１】
ランドセルの上部開口を閉じて背面側に覆い被さる蓋板上に装着されるランドセルカバーにおいて、
前記ランドセルカバーが面状部材の２重構造による袋状をなし、内部に物品を収納する収納部を有し、
しかも前記ランドセルの蓋板から取外すとともに、前記ランドセルとは独立した吊下げバックとする吊下げ具を備えたランドセルカバー。
【請求項２】
前記ランドセルカバーが前面布と後面布の２重構造による袋状である請求項１に記載のランドセルカバー。
【請求項３】
上部側にファスナによって開閉される開口を有するとともに、中間位置において前記前面布と前記後面布とが縫合わされて接合され、しかも該接合された部位のすぐ下側に開口が形成され、上側と下側とにそれぞれ収納部が形成される請求項２に記載のランドセルカバー。
【請求項４】
前記接合された位置のすぐ下側の開口を覆うようにフラップを備える請求項３に記載のランドセルカバー。
【請求項５】
前記吊下げ具が吊下げ環であって、上下方向の中間位置であって幅方向の両端にそれぞれ前記吊下げ環が取付けられ、該吊下げ環の近傍で２つ折りするとともに、前記吊下げ環に吊下げベルトのフックを引掛けて吊下げバッグとする請求項１〜請求項３の何れかに記載のランドセルカバー。
【請求項６】
前記吊下げベルトに長さ調整具が取付けられ、吊下げベルトの長さが調整される請求項５に記載のランドセルカバー。
【請求項７】
収納部に運動着を収納する請求項１〜６の何れかに記載のランドセルカバー。
【請求項８】
収納部に水泳着を収納する請求項１〜７の何れかに記載のランドセルカバー。
【手続補正２】
【補正対象書類名】明細書
【補正対象項目名】００１５
【補正方法】変更
【補正の内容】
【００１５】
本願の主要な考案は、ランドセルの上部開口を閉じて背面側に覆い被さる蓋板上に装着されるランドセルカバーにおいて、
前記ランドセルカバーが面状部材の２重構造による袋状をなし、内部に物品を収納する収納部を有し、
しかも前記ランドセルの蓋板から取外すとともに、前記ランドセルとは独立した吊下げバックとする吊り下げ具を備えたランドセルカバーに関するものである。
【手続補正３】
【補正対象書類名】明細書
【補正対象項目名】００１６
【補正方法】変更
【補正の内容】
【００１６】
ここで、前記ランドセルカバーが前面布と後面布の２重構造による袋状であってよい。また上部側にファスナーによって開閉される開口を有するとともに、中間位置において前記前面布と前記後面布とが縫合わされて接合され、しかも該接合された部位のすぐ下側に開口が形成され、上側と下側とにそれぞれ収納部が形成されてよい。また前記接合された位置のすぐ下側の開口を覆うようにフラップを備えてよい。また前記吊り下げ具が吊り下げ環であって、上下方向の中間位置であって幅方向の両端にそれぞれ前記吊下げ環が取付けられ、該吊下げ環の近傍で２つ折りするとともに、前記吊下げ環に吊下げベルトのフックを引掛けて吊下げバッグとしてよい。また前記吊下げベルトに長さ調整具が取付けられ、吊下げベルトの長さが調整されてよい。また収納部に運動着を収納してよい。また収納部に水泳着を収納してよい。